(57)【特許請求の範囲】
【請求項１】
筐体と、
前記筺体の上部に取り付けられ、各種画像を表示可能な略平面状の表示領域を有するディスプレイと、
選択されたカラオケ楽曲をカラオケ演奏するとともに歌詞テロップまたは背景映像からなる画像を前記ディスプレイに表示させる制御手段と、
を備えるカラオケ装置であって、
さらに、
板状に形成され、一方の面へ照射された可視光の少なくとも一部を他方の面へ透過可能であり、前記筺体の上方へ配置可能なハーフミラーを備え、
前記ディスプレイは、前記表示領域を当該カラオケ装置の前方へ向ける第一表示状態と、前記表示領域を前記筺体の上方へ配置された前記ハーフミラーへ向ける第二表示状態とでその姿勢を変更可能であり、
前記ハーフミラーは、前記筺体の上方へ配置された場合には、前記第二表示状態にある前記ディスプレイの前記表示領域に表示された画像を当該カラオケ装置の後方へ向けて反射し、
前記ハーフミラーが前記筺体の上方へ配置された場合に、前記ディスプレイの前記表示領域に表示された画像を左右反転させる画像反転手段を備えること
を特徴とするカラオケ装置。
【請求項２】
請求項１に記載のカラオケ装置において、
前記ハーフミラーは、前記筺体の上方へ配置された場合には、前記第一表示状態にある場合の前記ディスプレイの前記表示領域よりも上方に位置することを特徴とするカラオケ装置。
【請求項３】
請求項１または請求項２に記載のカラオケ装置において、
前記ハーフミラーは前記筺体の上部に着脱可能であることを特徴とするカラオケ装置。
【請求項４】
請求項１〜請求項３の何れかに記載のカラオケ装置において、
前記ディスプレイの表示状態を検出する表示状態検出手段を備え、
前記制御手段は、前記表示状態検出手段によって検出された前記ディスプレイの表示状態に応じて、前記表示領域の表示態様を変更することを特徴とするカラオケ装置。
【請求項５】
請求項４に記載のカラオケ装置において、
前記制御手段は、前記表示状態検出手段による検出結果に基づいて前記ディスプレイの表示状態が切り替わったと判断した場合には、前記ディスプレイの前記表示領域に表示中の映像を左右反対とすることで前記画像反転手段として機能することを特徴とするカラオケ装置。
【請求項６】
請求項４または請求項５に記載のカラオケ装置において、
前記制御手段は、前記表示状態検出手段による検出結果に基づいて前記ディスプレイが第一表示状態であると判断した場合には、前記ディスプレイの前記表示領域に歌詞テロップと背景映像とからなる画像を表示させ、一方、前記ディスプレイが第二表示状態であると判断した場合には、前記ディスプレイの前記表示領域に、第一表示状態の歌詞テロップと背景映像とからなる画像から背景映像を削除した画像を表示させることを特徴とするカラオケ装置。
【請求項７】
請求項４〜請求項６の何れかに記載のカラオケ装置において、
前記制御手段は、前記表示状態検出手段による検出結果に基づいて前記ディスプレイが第二表示状態であると判断した場合には、前記ディスプレイの前記表示領域に表示中の歌詞テロップの歌唱すべき歌詞位置で歌詞テロップの色を変え、カラオケ演奏が進行しても前記色変え位置を変化させずに、前記ディスプレイの前記表示領域に表示中の歌詞テロップをカラオケ演奏に合わせて左右方向にスクロールさせることを特徴とするカラオケ装置。
【請求項８】
請求項４〜請求項６の何れかに記載のカラオケ装置において、
前記制御手段は、前記表示状態検出手段による検出結果に基づいて前記ディスプレイが第一表示状態であると判断した場合には、前記ディスプレイの前記表示領域に表示中の歌詞テロップの表示色をカラオケ演奏に合わせて順に変化させることを特徴とするカラオケ装置。
【発明の詳細な説明】
【技術分野】
【０００１】
本発明は、宴会場などで用いられる一体型のカラオケ装置に関する。
【背景技術】
【０００２】
従来より、宴会場などで用いられる一体型のカラオケ装置が知られている（例えば、特許文献１参照。）。この種のカラオケ装置は、装置本体と、アンプ、スピーカ、ディスプレイ等を教卓型の筐体に収め、キャスターを装備して簡便な移動や設置を行なえるようになっている。そして、利用時には、この一体型カラオケ装置を宴会場等の上手に設置し、簡易的な「舞台」として歌唱者が多数の観客に向かって歌を披露する。なお、主な需要としては、披露宴会場などが挙げられる。
【０００３】
なお、このような宴会場向けの一体型カラオケ装置における問題として、歌唱者の視線がディスプレイに向かってしまうことが挙げられる。つまり、歌唱者はカラオケ装置の歌詞テロップを目で追おうとするためにその視線が下向きになりがちであり、そのために披露宴などの舞台で歌う態度として観客に好ましい印象を与えないことが多い。また、カラオケ装置自体が、観客から歌唱者への視線を遮り、歌唱者の顔を隠してしまうことがある。このことも、観客に好ましい印象を与えない原因となっている。さらに、別の問題として、宴会場向けの一体型カラオケ装置の稼働率の問題が挙げられる。すなわち、上記のような宴会場でのカラオケ装置の利用機会は、主に、宴会が開催されている時間内、主に、夕方から夜間に限られるためにその稼働率は低くなり、装置導入の費用効率が好ましくない場合が多いという問題がある。
【０００４】
一方、いわゆるカラオケボックスと呼ばれるカラオケ装置の利用形態については、主にデイ・カラオケなどと言われ、日中の商用需要が多い。そこで、一案として、カラオケボックスでの利用と宴会場での利用の両方の需要を１台で満たすことのできるカラオケ装置が望まれている。
【特許文献１】特開平１０−２０８６８号公報
【特許文献２】特開平０８−８７２８３号公報
【発明の開示】
【発明が解決しようとする課題】
【０００５】
ところで、上述のようなカラオケ装置を宴会場で利用する場合には、上述のようにカラオケ装置を宴会場等の上手に設置し、簡易的な「舞台」として歌唱者が多数の観客に向かって歌を披露するため、歌唱者と観客とがカラオケ装置を挟んで対峙する位置関係となり、観客が歌唱者の歌い方や表情、姿勢などを正面から見ることとなる。
【０００６】
しかし、歌唱者が歌詞を完全に憶えてない場合など、ディスプレイに表示される歌詞テロップを目で追うことから、歌唱者の視線が下方を向いたり落ち着き無く動いたりして不自然な歌い方や表情、姿勢となり、つまり歌唱者にとって観客に見られたくない歌い方になるという問題があった。
【０００７】
なお、特許文献２のように、歌詞画面表示部にハーフミラーなどのヘッドアップディスプレイを使用し、ヘッドアップディスプレイの背後に歌詞画面を虚像として結像することで、歌い手が聴衆の方向を見ながら歌詞を同時に見て歌うことができるようにしたカラオケシステムも提案されているが、歌唱者が歌詞を完全に憶えてない場合など、その虚像として表示される歌詞テロップを目で追うことには変わりなく、同様の問題が発生するものと推察される。
【０００８】
本発明は、このような不具合に鑑みなされたものであり、その目的とするところは、カラオケボックスや宴会場などで両方で用いられる一体型のカラオケ装置を、宴会場で利用する際に、歌唱者が観客と対峙する位置関係になったときであっても、観客側から見た歌唱者の姿、特に顔や目線が、自然な姿で見えるようにカラオケ歌唱を行えるようすることにある。
【課題を解決するための手段】
【０００９】
上記課題を解決するためになされた請求項１に係るカラオケ装置は、筐体と、前記筺体の上部に取り付けられ、各種画像を表示可能な略平面状の表示領域を有するディスプレイと、選択されたカラオケ楽曲をカラオケ演奏するとともに歌詞テロップまたは背景映像からなる画像を前記ディスプレイに表示させる制御手段と、を備えるカラオケ装置であって、さらに、板状に形成され、一方の面へ照射された可視光の少なくとも一部を他方の面へ透過可能であり、前記筺体の上方へ配置可能なハーフミラーを備え、前記ディスプレイは、前記表示領域を当該カラオケ装置の前方へ向ける第一表示状態と、前記表示領域を前記筺体の上方へ配置された前記ハーフミラーへ向ける第二表示状態とでその姿勢を変更可能であり、前記ハーフミラーは、前記筺体の上方へ配置された場合には、前記第二表示状態にある前記ディスプレイの前記表示領域に表示された画像を当該カラオケ装置の後方へ向けて反射し、前記ハーフミラーが前記筺体の上方へ配置された場合に、前記ディスプレイの前記表示領域に表示された画像を左右反転させる画像反転手段を備えることを特徴とする。
【００１０】
このように構成された本発明のカラオケ装置によれば、次のような作用効果を奏する。すなわち、ディスプレイが第一表示状態である場合には、表示領域をカラオケ装置の前方へ向けることで当該カラオケ装置の前方にてカラオケ歌唱を行う歌唱者および歌唱者のカラオケ歌唱を鑑賞する鑑賞者へ画像を表示する。また、ハーフミラーが、筺体の上方へ配置された場合には、第二表示状態にあるディスプレイの表示領域に表示された画像を、当該カラオケ装置の後方へ向けて反射する。さらに、このようにハーフミラーが筺体の上方へ配置された場合に、画像反転手段が、ディスプレイの前記表示領域に表示された画像を左右反転させる。なおこの場合、当該カラオケ装置後方の歌唱者と当該カラオケ装置前方の鑑賞者とが当該ハーフミラーを介して互いに視認可能となっている。このことにより、当該カラオケ装置の後方にてカラオケ歌唱を行う歌唱者が、第二表示状態にあるディスプレイの表示領域に表示された画像を見る視線が動きにくくなって歌唱者の目線が安定する上に、更に鑑賞者（観客）から見た歌唱者の顔が隠れない。したがって、当該カラオケ装置を宴会場で利用する際に、観客と対峙する位置関係にあっても、歌唱者が自然な姿でカラオケ歌唱を行うことができる。
【００１１】
この場合、請求項２のように、ハーフミラーが、筺体の上方へ配置された場合には、第一表示状態にある場合のディスプレイの表示領域よりも上方に位置することが考えられる。このように構成すれば、ハーフミラーに映る画像を見る歌唱者が、第一表示状態にある場合のディスプレイの表示領域に映る画像を見る場合に比べて、その目線を高く保つことができる。したがって、歌唱者が、より自然な姿でカラオケ歌唱を行うことができる。
【００１２】
なお、上述のハーフミラーについては、筺体の上部に蝶番を介して取り付けることが考えられる。このように構成すればハーフミラーを紛失するおそれがない。
しかし、このようにハーフミラーを筺体の上部に蝶番を介して取り付けた場合、ハーフミラーが歌唱者や鑑賞者の視界に入り、カラオケ歌唱や鑑賞への集中の妨げになるおそれがある。そこで、請求項３のように、上述のハーフミラーについては、筺体の上部に着脱可能であることが考えられる。このように構成すれば、使用しないときにはハーフミラーを取り外すことにより、歌唱者や鑑賞者の視界に入らずにカラオケ歌唱や鑑賞へ集中できる。また、このように歌唱者がカラオケ歌唱に集中することにより、歌唱者のディスプレイの表示領域を見る視線が動きにくくなって歌唱者の目線が安定する。したがって、当該カラオケ装置を宴会場で利用する際に、観客と対峙する位置関係にあっても、歌唱者が自然な姿でカラオケ歌唱を行うことができる。
【００１３】
ところで、上述のようにディスプレイの表示状態が変化した際に、ディスプレイによる画像の表示態様をそのままとした場合には、ディスプレイの表示状態とディスプレイによる画像の表示態様とが合わなくなって歌唱者のディスプレイの表示領域を見る視線が動きやすくなる場合がある。一例を挙げると、カラオケ装置をカラオケボックスで利用する場合には、ディスプレイを歌唱者と鑑賞者が同じ方向から見ることが多いため、第一表示状態にあるディスプレイの表示領域に歌詞テロップおよび背景映像を表示した方が好ましいが、カラオケ装置を宴会場で利用する場合には、歌唱者と鑑賞者とがカラオケ装置を挟んで対峙する位置関係にあるため、カラオケ歌唱に集中したい歌唱者に対しては歌詞テロップのみを表示し、歌唱者の様子だけでなく歌詞を口ずさみ背景映像も楽しみたい鑑賞者に対しては歌詞テロップだけでなく背景映像を表示した方が好ましいといった具合に、ディスプレイの表示状態とディスプレイによる画像の表示態様とを合わせた方が、歌唱者のディスプレイの表示領域を見る視線が動きにくくなるとともに、鑑賞者にとってもその場を楽しむことができるからである。
【００１４】
そこで、ディスプレイの表示状態に応じてディスプレイによる画像の表示態様を変化させることが考えられる。具体的には、請求項４のように、ディスプレイの表示状態を検出する表示状態検出手段を備え、制御手段が、表示状態検出手段によって検出されたディスプレイの表示状態に応じて、ディスプレイの表示領域の表示態様を変更することが考えられる。
【００１５】
このように構成すれば、歌唱者のディスプレイの表示領域を見る視線が動きにくくなって歌唱者の目線が安定する。したがって、当該カラオケ装置を宴会場で利用する際に、観客と対峙する位置関係にあっても、歌唱者が自然な姿でカラオケ歌唱を行うことができる。
【００１６】
なお、ディスプレイの表示状態に応じてディスプレイによる画像の表示態様を変化させる手法の具体例としては、例えば次の（イ）〜（ニ）が考えられる。
（イ）まず、ディスプレイの表示状態が切り替わる際にディスプレイに表示中の映像を左右反対にすることが考えられる。具体的には、請求項５のように、表示状態検出手段による検出結果に基づいてディスプレイの表示状態が切り替わったと判断した場合には、制御手段が、ディスプレイの表示領域に表示中の映像を左右反対とすることが考えられる。なおこの場合、制御手段が画像反転手段として機能する。このように構成すれば、上述の画像反転手段の機能を自動的に行うことができるとともに、歌唱者のディスプレイの表示領域を見る視線が動きにくくなって歌唱者の目線が安定する。また、歌唱者が歌詞を正確に憶えていなくても、自然な感じでカラオケ歌唱を行うことができる。
【００１７】
（ロ）また、カラオケ装置を宴会場で利用する場合など、ディスプレイが第二表示状態にあるときにディスプレイの表示領域に背景映像を表示すると、背景映像の変化に歌唱者の目が反応し、前記歌唱者の目線が上下左右に動きやすくなり、視聴者から見てハーフミラーを通した歌唱者の歌唱姿が不自然に見える（通称：目が泳いでいる状態）ため、ディスプレイが第二表示状態にあるときには、背景映像を消して歌詞テロップのみをディスプレイの表示領域に表示させることが考えられる。具体的には、請求項６のように、表示状態検出手段による検出結果に基づいてディスプレイが第一表示状態であると判断した場合には、制御手段が、ディスプレイの表示領域に歌詞テロップと背景映像とからなる画像を表示させ、一方、ディスプレイが第二表示状態であると判断した場合には、制御手段が、ディスプレイの表示領域に、第一表示状態の歌詞テロップと背景映像とからなる画像から背景映像を削除した画像を表示させることが考えられる。このように構成すれば、歌唱者のディスプレイの表示領域を見る視線が動きにくくなって歌唱者の目線が安定する。また、歌唱者が歌詞を正確に憶えていなくても、自然な感じでカラオケ歌唱を行うことができる。
【００１８】
（ハ）また、カラオケ装置を宴会場で利用する場合など、ディスプレイが第二表示状態にあるときにディスプレイの表示領域に歌詞テロップを表示すると、カラオケ演奏に合わせて歌詞テロップを追う歌唱者の目線が左右に動きやすくなり、視聴者から見てハーフミラーを通した歌唱者の歌唱姿が不自然に見える（通称：目が泳いでいる状態）ため、ディスプレイが第二表示状態にあるときには、歌唱ポイントである色変え地点を固定させて、歌詞テロップを左右方向にスクロール表示することが考えられる。具体的には、請求項７のように、表示状態検出手段による検出結果に基づいてディスプレイが第二表示状態であると判断した場合には、制御手段が、ディスプレイの表示領域に表示中の歌詞テロップの歌唱すべき歌詞位置で歌詞テロップの色を変え、カラオケ演奏が進行しても色変え位置を変化させずに、ディスプレイの表示領域に表示中の歌詞テロップをカラオケ演奏に合わせて左右方向にスクロールさせることが考えられる。このように構成すれば、歌唱者のディスプレイの表示領域を見る視線が動きにくくなって歌唱者の目線が安定する。また、歌唱者が歌詞を正確に憶えていなくても、自然な感じでカラオケ歌唱を行うことができる。
【００１９】
（ニ）また、上述の（ハ）のように、カラオケ装置をカラオケボックスで利用する場合など、ディスプレイが第一表示状態にあるときにディスプレイの表示領域に歌詞テロップを表示するには、歌詞テロップの表示色をカラオケ演奏に合わせて順に変化させることが考えられる。具体的には、請求項８のように、表示状態検出手段による検出結果に基づいてディスプレイが第一表示状態であると判断した場合には、制御手段が、ディスプレイの表示領域に表示中の歌詞テロップの表示色をカラオケ演奏に合わせて順に変化させることが考えられる。このように構成すれば、カラオケ装置をカラオケボックスで利用する場合などに、歌唱者が歌詞を正確に憶えていなくても、自然な感じでカラオケ歌唱を行うことができる。
【発明を実施するための最良の形態】
【００２０】
以下に本発明の実施形態を図面とともに説明する。
［第一実施形態］
図１は一体型カラオケ装置１００の外観を示す説明図（１）であり、一体型カラオケ装置１００をカラオケボックスなどで使用する際にディスプレイ２４を第一表示状態としている様子を示す。また、図２は一体型カラオケ装置１００の外観を示す説明図（２）であり、一体型カラオケ装置１００を宴会場などで使用する際にディスプレイ２４を第二表示状態としている様子を示す。また、図７は、本実施形態の一体型カラオケ装置１００が備えるカラオケ装置本体１の構成及び稼働時の周辺機器の構成を示すブロック図である。
【００２１】
［一体型カラオケ装置１００の構成の説明］
図１に示すように、一体型カラオケ装置１００は、筐体１００ａ、カラオケ装置本体１、アンプ２０、スピーカ２２、マイクロフォン（以下、単にマイクと称す。）２３、ディスプレイ２４を備えている。
【００２２】
筐体１００ａは、教卓型の箱形状に構成されている。この筐体１００ａは、四つのキャスター１００ｂを装備しており、簡便な移動や設置を行なえるようになっている。
また、筐体１００ａの内部には、カラオケ装置本体１およびアンプ２０が収納されている。さらに、筐体１００ａの前面の下部にはスピーカ２２が取り付けられている。また、筐体１００ａの前面の上部にはカラオケ装置本体１の操作パネル１０が取り付けられている。また、筐体１００ａの上面の前側隅部にはディスプレイ２４が二つのヒンジ機構１００ｃを介して取り付けられている。
【００２３】
ディスプレイ２４は、上述のように筐体１００ａの前側隅部に二つのヒンジ機構１００ｃを介して取り付けられており、各種画像を表示可能な略平面状の表示領域２４ａを有している。そして、ディスプレイ２４は、直立状態となって表示領域２４ａを一体型カラオケ装置１００の前方へ向ける表示状態１（第一表示状態、図１および図３（ａ）参照）と、倒立状態となって表示領域２４ａを上方へ向ける表示状態２（第二表示状態、図２および図３（ｂ）参照）とでその姿勢を変更可能である。
【００２４】
［カラオケ装置本体１及び稼働時の周辺機器の構成の説明］
図７に示すように、カラオケ装置本体１は、カラオケ装置本体１全体の制御を司るＣＰＵ１４、及びこのＣＰＵ１４に接続された以下の各部、すなわち曲の予約操作などを行うための操作パネル１０、画像情報等を映像化するためのグラフィックス処理部１１、ＭＰＥＧ２映像データの再生手段となるＭＰＥＧデコーダ１２、カラオケ演奏用の楽曲データや映像データその他各種データを記憶しているハードディスク（ＨＤＤ）１３、システムプログラムや各種の設定に必要な設定データなどを記憶しておくＥＥＰＲＯＭ１５、ＬＡＮインターフェース１６、時間を管理するＲＴＣ（Ｒｅａｌ  Ｔｉｍｅ  Ｃｌｏｃｋ）１７、ＭＩＤＩデータ（楽曲データ）に基づく演奏再生を行うＭＩＤＩ音源部１８、ＭＩＤＩ音源部１８による再生音及び利用者（歌唱者）の歌声をミキシングする等して適宜音声処理を施す音声処理部１９、各種情報を一時的に記憶しておくのに用いられるＤＲＡＭ２５、映像反転回路２６、ハーフミラー取付状態検知スイッチ２８を備えている。
【００２５】
なお、ＣＰＵ１４は制御手段に該当する。また、映像反転回路２６は画像反転手段に該当する。また、ハーフミラー取付状態検知スイッチ２８は表示状態検出手段に該当する。
音声処理部１９はアンプ２０と接続されており、音声処理部１９から出力された音声情報に係る電気信号はアンプ２０によって増幅等されてスピーカ２２に出力され、このスピーカ２２から伴奏曲及び利用者（歌唱者）の歌声等が発せられる。また、利用者（歌唱者）の歌声等はマイク２３を介して音声処理部１９に入力される。また、グラフィックス処理部１１は背景画及び歌詞等を表示するディスプレイ２４と接続されている。また、ＬＡＮインターフェース１６には光モデム２７が接続されている。光モデム２７はルータ機能を内蔵しており、カラオケ装置本体１は、この光モデム２７、そしてインターネット３０を経由して配信センタ５０との通信を行うことができるよう構成されている。
【００２６】
ここで、操作パネル１０は、筐体１００ａの前面上部に取り付けられており、利用者によって操作され、任意の曲の選択、演奏音の音程の調整、演奏と歌との音量バランスの調整、その他エコー、音量、トーンなど各種調整を行うためのスイッチ類と、現在演奏中の曲コードや予約曲数などを表示するための表示パネルを備えている。本実施形態の表示パネルは、７セグメントＬＥＤで構成されており、６桁の数字や記号を表示可能なものである。
【００２７】
また、ＨＤＤ１３には、楽曲データや画像情報などのコンテンツデータなどが記憶されている。そして、操作パネル１０の操作部を介して曲が選択されると、ＣＰＵ１４は、楽曲データや画像情報をＨＤＤ１３からＳｅｒｉａｌＡＴＡブリッジ２１を介して呼び出して、グラフィックス処理部１１およびＭＩＤＩ音源部１８に同期させて出力するようになっている。
【００２８】
ＣＰＵ１４から出力されるＭＩＤＩデータは、ＭＩＤＩ音源部１８においてアナログの演奏音信号に変換された後、音声処理部１９へ送られ、マイク２３を介して入力される利用者の歌唱音信号と適度な割合でミキシングされる。そして、このミキシングされた歌唱音信号と演奏音信号はアンプ２０へ送られて電気的に増幅される。さらに、アンプ２０からスピーカ２２に出力され音声及び演奏音となってスピーカ２２から外部へ出力される。
【００２９】
一方、グラフィックス処理部１１は、ＣＰＵ１４の制御の下、ＣＰＵ１４によってハードディスク１３から読み出された画像情報（歌詞データ）に基づいて歌詞映像の再生を行うものである。ＣＰＵ１４によりハードディスク１３から読み出された画像情報（背景画データ）は、ＭＰＥＧデコーダ１２によって背景映像として再生された後にグラフィックス処理部１１によって歌詞映像と合成され、ディスプレイ２４へ出力される。これによって、ディスプレイ２４の画面に背景映像とともに歌詞テロップが表示される。
【００３０】
なお、これらＣＰＵ１４が実行する処理のためのソフトウェアもハードディスク１３に格納されている。
このような構成のため、利用者は、ディスプレイ２４に表示される歌詞テロップを参照しながら、スピーカ２２より流れるカラオケ演奏にあわせ、マイク２３を使って歌唱できるようになっている。
【００３１】
ハーフミラー２９は、図２示すように、略方形のミラー本体２９ａとミラー本体２９ａから延出する棒状の取付部２９ｂとから構成される。ミラー本体２９ａは、板状に形成され、一方の面へ照射された可視光の少なくとも一部を他方の面へ透過可能である。また、ハーフミラー２９は、取付部２９ｂを筐体１００ａの上部の前側隅部に形成された取付孔１００ｄに挿入することで、筐体１００ａの上部の前側隅部に着脱可能に取り付けられる。そして、ハーフミラー２９は、筐体１００ａに取り付けられた場合には、ミラー本体２９ａが筐体１００ａの上方に配置され、表示状態２にあるディスプレイ２４の表示領域２４ａに表示された画像を当該一体型カラオケ装置１の後方へ向けて反射する（図３（ｂ）参照）。なおこの場合のハーフミラー２９のミラー本体２９ａは、取付部２９ｂを介して筐体１００ａの上部に取り付けられている分だけ、表示状態１にある場合のディスプレイ２４の表示領域２４ａよりも上方に位置するよう構成されている。
【００３２】
ハーフミラー取付状態検知スイッチ２８は、ハーフミラー２９が筐体１００ａの取付孔１００ｄに挿入されているか否かを検知する機能を有する。
映像反転回路２６は、ハーフミラー２９が筐体１００ａに取り付けられた場合に、ディスプレイ２４の表示領域２４ａに表示された画像を左右反転させる機能を有する。なお、映像反転回路２６は画像反転手段に該当する。
【００３３】
［カラオケ楽曲演奏処理の説明］
以下に、カラオケ装置１ＣＰＵ１４が実行するカラオケ楽曲演奏処理の処理手順を図９に基づいて説明する。なお、このカラオケ楽曲演奏処理はカラオケ装置１の電源がオンとなった際に起動される処理である。
【００３４】
このカラオケ楽曲演奏処理が起動されると、まず、ハーフミラー取付状態検知スイッチの状態がオフであるか否かを判断し（Ｓ１１０）、そのハーフミラー取付状態検知スイッチの状態に応じて、動作モードを決定する（Ｓ１２０）。具体的には、ハーフミラー取付状態検知スイッチの状態がオフである場合には（Ｓ１１０：ＹＥＳ）、ハーフミラー２９が筐体１００ａに取り付けられていないと判断し、ディスプレイ２４の動作モードを表示状態１（カラオケボックスモード）と決定する。一方、ハーフミラー取付状態検知スイッチの状態がオフではなくオンである場合には（Ｓ１１０：ＮＯ）、ハーフミラー２９が筐体１００ａに取り付けられていると判断し、ディスプレイ２４の動作モードを表示状態２（宴会モード）と決定する。そして、決定した動作モードの種別をＤＲＡＭ２５に記憶しておく（Ｓ１３０）。なお、当該Ｓ１１０の実行が２回目以降となる場合には、ハーフミラー取付状態検知スイッチ２８の状態が変化したときに、動作モードを切り替えることとなる。
【００３５】
続いて、ＤＲＡＭ２５の記憶内容を参照して、動作モードが表示状態１であるか否かを判断する（Ｓ１４０）。動作モードが表示状態１であると判断された場合には（Ｓ１４０：ＹＥＳ）、映像反転回路２６をオフに設定し（Ｓ１５０）、一方、動作モードが表示状態１ではなく表示状態２であると判断された場合には（Ｓ１４０：ＮＯ）、映像反転回路２６をオンに設定し（Ｓ１６０）、Ｓ１７０に移行する。
【００３６】
続いて、操作パネル１０から選曲入力があるまで待機し（Ｓ１７０）、操作パネル１０から選曲入力がなされた場合には、その選曲されたカラオケ楽曲の曲データをＨＤＤ１３の楽曲データのデータベースから読み出し（Ｓ１８０）、その読み出した曲データに基づいてカラオケ演奏を開始する（Ｓ１９０）。このカラオケ演奏処理は、（イ）演奏タスク（Ｓ２００〜Ｓ２２０）、（ロ）テロップ表示タスク（Ｓ２３０〜Ｓ２７０）、および（ハ）背景映像出力タスク（Ｓ２８０〜Ｓ３１０）の三つのタスクから構成され、これら三つのタスクを並列処理される。以下、順に説明する。
【００３７】
（イ）演奏タスク（Ｓ２００〜Ｓ２２０）
演奏タスクは、曲データに含まれるＭＩＤＩデータに基づいてカラオケ演奏を行うタスクである。まず、演奏タスクを開始し（Ｓ２００）、曲データに含まれるＭＩＤＩデータに基づいてＭＩＤＩ演奏処理を実行する（Ｓ２１０）。なお、ＭＩＤＩ演奏と歌詞テロップの表示とを同期させるための「ＭＩＤＩ―テロップ同期データ」を順次生成してＤＲＡＭ２５に記憶していく。ＭＩＤＩデータに基づくＭＩＤＩ演奏処理が終了したら、本演奏タスクを終了する。
【００３８】
（ロ）テロップ表示タスク（Ｓ２３０〜Ｓ２７０）
テロップ表示タスクは、曲データに含まれる歌詞テロップデータをカラオケ演奏に合わせてディスプレイ２４に表示させるタスクである。まず、テロップ表示タスクを開始し（Ｓ２３０）、ＤＲＡＭ２５に記憶される動作モードの種別を示すデータをＤＲＡＭ２５から読み出し、その読み出したデータを参照して、動作モードが表示状態１であるか否かを判断する（Ｓ２４０）。動作モードが表示状態１であると判断された場合には（Ｓ２４０：ＹＥＳ）、ＤＲＡＭ２５に記憶される「ＭＩＤＩ―テロップ同期データ」を参照しながら、色変化テロップ表示処理を実行する（Ｓ２５０）。具体的には、図８（ａ）に例示されるグラフィックス処理部１１から出力された画像が、動作モードが表示状態１であることから映像反転回路２６がオフに設定されているために反転処理されずに出力されてディスプレイ２４の表示領域２４ａに表示される（図８（ｂ）参照）。そして、ディスプレイ２４の表示領域２４ａに表示中の歌詞テロップの表示色をカラオケ演奏に合わせて順に変化させる（図６参照）。一方、動作モードが表示状態１ではなく表示状態２であると判断された場合には（Ｓ２４０：ＮＯ）、ＤＲＡＭ２５に記憶される「ＭＩＤＩ―テロップ同期データ」を参照しながら、スクロールテロップ表示処理を実行する（Ｓ２６０）。具体的には、図８（ａ）に例示されるグラフィックス処理部１１から出力された画像が、動作モードが表示状態２であることから映像反転回路２６がオンに設定されているために反転処理されて出力されてディスプレイ２４の表示領域２４ａに表示される（図８（ｃ）参照）。そして、ディスプレイ２４の表示領域２４ａに表示される画像が、ハーフミラー２９のミラー本体２９ａによって一体型カラオケ装置１００の後方へ反射される。このときにハーフミラー２９のミラー本体２９ａに映る画像は図８（ｄ）に例示するようになる。そして、ディスプレイ２４の表示領域２４ａに表示中の歌詞テロップの歌唱すべき歌詞位置で歌詞テロップの色を変え、カラオケ演奏が進行しても色変え位置を変化させずに、ディスプレイ２４の表示領域２４ａに表示中の歌詞テロップをカラオケ演奏に合わせて左右方向にスクロールさせる（図６（ｂ）参照）。歌詞テロップデータに基づく色変化テロップ表示処理またはスクロールテロップ表示処理が終了したら、本テロップ表示タスクを終了する（Ｓ２７０）。
【００３９】
（ハ）背景映像出力タスク（Ｓ２８０〜Ｓ３１０）
背景映像出力タスクは、曲データに含まれる背景映像データをカラオケ演奏に合わせてディスプレイ２４に表示させるタスクである。まず、背景映像出力タスクを開始し（Ｓ２８０）、ＤＲＡＭ２５に記憶される動作モードの種別を示すデータをＤＲＡＭ２５から読み出し、その読み出したデータを参照して、動作モードが表示状態１であるか否かを判断する（Ｓ２９０）。動作モードが表示状態１であると判断された場合には（Ｓ２９０：ＹＥＳ）、背景映像出力処理を実行する（Ｓ３００）。具体的には、ディスプレイ２４の表示領域２４ａに背景映像を表示させる。このことにより、ディスプレイ２４の表示領域２４ａには、テロップ表示タスクによる歌詞テロップと本背景映像出力タスクによる背景映像とからなる画像が表示される（図６（ａ）参照）。なお、動作モードが表示状態１ではなく表示状態２であると判断された場合には（Ｓ２９０：ＮＯ）、後述するＳ３１０に移行して本背景映像出力タスクを終了する。なおこの場合、上述の背景映像出力処理を実行しないため、ディスプレイ２４の表示領域２４ａには、テロップ表示タスクによる歌詞テロップのみが表示される。つまり、ディスプレイ２４の表示領域２４ａには、テロップ表示タスクによる歌詞テロップと本背景映像出力タスクによる背景映像とからなる画像から背景映像を削除した画像が表示されることとなる（図６（ｂ）参照）。
【００４０】
そして、背景映像出力処理が終了したら、本背景映像出力タスクを終了する（Ｓ３１０）。
以上の（イ）演奏タスク（Ｓ２００〜Ｓ２２０）、（ロ）テロップ表示タスク（Ｓ２３０〜Ｓ２７０）、および（ハ）背景映像出力タスク（Ｓ２８０〜Ｓ３１０）の三つのタスクが全て終了したら、カラオケ演奏処理を終了し（Ｓ３２０）、Ｓ１１０に戻る。
【００４１】
［第一実施形態の効果］
（１）このように第一実施形態の一体型カラオケ装置１００によれば、次のような作用効果を奏する。すなわち、ディスプレイ２４が表示状態１である場合には、図４に例示するように、表示領域２４ａを一体型カラオケ装置１００の前方へ向けることで当該一体型カラオケ装置１００の前方にてカラオケ歌唱を行う歌唱者および他の利用者（鑑賞者）へ画像を表示する（図６（ａ）参照）。また、図５に例示するように、ハーフミラー２９が、筐体１００ａに取り付けられた場合には、表示状態２にあるディスプレイ２４の表示領域２４ａに表示された画像を、当該一体型カラオケ装置１００の後方へ向けて反射する。さらに、このようにハーフミラー２９が筐体１００ａに取り付けられた場合に、ディスプレイ２４の表示領域２４ａに表示された画像を左右反転させる（図６（ｂ）および図８（ｄ）参照）。なおこの場合、当該一体型カラオケ装置１００後方の歌唱者と当該一体型カラオケ装置１００前方の観客（鑑賞者）とがハーフミラー２９を介して互いに視認可能となっている。このことにより、当該一体型カラオケ装置１００の後方にてカラオケ歌唱を行う歌唱者が、表示状態２にあるディスプレイ２４の表示領域２４ａに表示された画像を見る視線が動きにくくなって歌唱者の目線が安定する上に、更に鑑賞者（観客）から見た歌唱者の顔が隠れない。したがって、当該一体型カラオケ装置１００を宴会場で利用する際に、観客と対峙する位置関係にあっても、歌唱者が自然な姿でカラオケ歌唱を行うことができる。
【００４２】
（２）また、第一実施形態の一体型カラオケ装置１００によれば、ハーフミラー２９のミラー本体２９ａについては、筐体１００ａの上部の前側隅部に取り付けられた場合に、取付部２９ｂを介して筐体１００ａの上部に取り付けられている分だけ、表示状態１にある場合のディスプレイ２４の表示領域２４ａよりも上方に位置するよう構成されている。このことにより、ハーフミラー２９に映る画像を見る歌唱者が、表示状態１にある場合のディスプレイ２４の表示領域２４ａに映る画像を見る場合に比べて、その目線を高く保つことができる。したがって、歌唱者が、より自然な姿でカラオケ歌唱を行うことができる。
【００４３】
（３）また、第一実施形態の一体型カラオケ装置１００によれば、ハーフミラー２９については、筐体１００ａの上部に着脱可能に構成されている。このことにより、使用しないときにはハーフミラー２９を取り外すことにより、歌唱者や鑑賞者の視界に入らずにカラオケ歌唱や鑑賞へ集中できる。また、このように歌唱者がカラオケ歌唱に集中することにより、歌唱者のディスプレイ２４の表示領域２４ａを見る視線が動きにくくなって歌唱者の目線が安定する。したがって、当該一体型カラオケ装置１００を宴会場で利用する際に、観客と対峙する位置関係にあっても、歌唱者が自然な姿でカラオケ歌唱を行うことができる。
【００４４】
（４）また、第一実施形態の一体型カラオケ装置１００によれば、カラオケ楽曲演奏処理において、Ｓ１１０の実行が２回目以降となる場合には、ハーフミラー取付状態検知スイッチ２８の状態が変化したときに、動作モードを切り替えることにより、ディスプレイ２４の表示状態に応じてディスプレイ２４による画像の表示態様を変化させる。このことにより、歌唱者のディスプレイの表示領域を見る視線が動きにくくなって歌唱者の目線が安定する。したがって、当該一体型カラオケ装置１００を宴会場で利用する際に、観客と対峙する位置関係にあっても、歌唱者が自然な姿でカラオケ歌唱を行うことができる。
【００４５】
（５）また、第一実施形態の一体型カラオケ装置１００によれば、ディスプレイ２４の表示状態が切り替わる際に、ディスプレイ２４の表示領域２４ａに表示中の映像を左右反対とする（図８（ａ）参照）。このことにより、上述の画像反転処理を自動的に行うことができるとともに、歌唱者のディスプレイ２４の表示領域２４ａを見る視線が動きにくくなって歌唱者の目線が安定する。また、歌唱者が歌詞を正確に憶えていなくても、自然な感じでカラオケ歌唱を行うことができる。
【００４６】
（６）また、第一実施形態の一体型カラオケ装置１００によれば、ディスプレイ２４が表示状態１であると判断した場合には、ディスプレイ２４の表示領域２４ａに歌詞テロップと背景映像とからなる画像を表示させ（図６（ａ）参照）、一方、ディスプレイ２４が表示状態２であると判断した場合には、ディスプレイ２４の表示領域２４ａに、表示状態１の歌詞テロップと背景映像とからなる画像から背景映像を削除した画像を表示させる（図６（ｂ）参照）。このことにより、歌唱者のディスプレイ２４の表示領域２４ａを見る視線が動きにくくなって歌唱者の目線が安定する。また、歌唱者が歌詞を正確に憶えていなくても、自然な感じでカラオケ歌唱を行うことができる。
【００４７】
（７）また、第一実施形態の一体型カラオケ装置１００によれば、ディスプレイ２４が表示状態２であると判断した場合には、ディスプレイ２４の表示領域２４ａに表示中の歌詞テロップの歌唱すべき歌詞位置で歌詞テロップの色を変え、カラオケ演奏が進行しても色変え位置を変化させずに、ディスプレイ２４の表示領域２４ａに表示中の歌詞テロップをカラオケ演奏に合わせて左右方向にスクロールさせる（図６（ｂ）参照）。このことにより、歌唱者のディスプレイ２４の表示領域２４ａを見る視線が動きにくくなって歌唱者の目線が安定する。また、歌唱者が歌詞を正確に憶えていなくても、自然な感じでカラオケ歌唱を行うことができる。
【００４８】
（８）また、第一実施形態の一体型カラオケ装置１００によれば、ディスプレイ２４が表示状態１であると判断した場合には、ディスプレイ２４の表示領域２４ａに表示中の歌詞テロップの表示色をカラオケ演奏に合わせて順に変化させる（図６（ａ）参照）。このことにより、カラオケ装置をカラオケボックスで利用する場合などに、歌唱者が歌詞を正確に憶えていなくても、自然な感じでカラオケ歌唱を行うことができる。
【００４９】
［他の実施形態］
以上、本発明の一実施形態について説明したが、本発明は上記実施形態に限定されるものではなく、以下のような様々な態様にて実施することが可能である。
【００５０】
（１）上記実施形態では、ハーフミラー２９が筐体１００ａの上部に着脱可能に構成されているが、これには限られず、ハーフミラー２９を、筐体１００ａの上部の前側隅部にヒンジ機構を介して回転可能に取り付けてもよい。このように構成すれば、ハーフミラー２９を紛失するおそれがない。
【図面の簡単な説明】
【００５１】
【図１】一体型カラオケ装置１００の外観を示す説明図（１）であり、一体型カラオケ装置１００をカラオケボックスなどで使用する際にディスプレイ２４を第一表示状態としている様子を示す。
【図２】一体型カラオケ装置１００の外観を示す説明図（２）であり、一体型カラオケ装置１００を宴会場などで使用する際にディスプレイ２４を第二表示状態としている様子を示す。
【図３】（ａ）一体型カラオケ装置１００の上部の外観を示す説明図（１）であり、一体型カラオケ装置１００をカラオケボックスなどで使用する際にディスプレイ２４を第一表示状態としている様子を示し、（ｂ）は一体型カラオケ装置１００の上部の外観を示す説明図（２）であり、一体型カラオケ装置１００を宴会場などで使用する際にディスプレイ２４を第二表示状態としている様子を示す。
【図４】一体型カラオケ装置１００をカラオケボックスなどで使用する際にディスプレイ２４を第一表示状態としている様子を示す説明図である。
【図５】一体型カラオケ装置１００を宴会場などで使用する際にディスプレイ２４を第二表示状態としている様子を示す説明図である。
【図６】（ａ）は一体型カラオケ装置１００をカラオケボックスなどで使用する際に、第一表示状態のディスプレイ２４が表示する画像の表示例を示す説明図であり、（ｂ）は一体型カラオケ装置１００を宴会場などで使用する際に、第二表示状態のディスプレイ２４が表示する画像の表示例を示す説明図である。
【図７】一体型カラオケ装置１００が備えるカラオケ装置本体１の構成及び稼働時の周辺機器の構成を示すブロック図である。
【図８】ディスプレイ２４が表示する画像の表示例であり、（ａ）はグラフィックス処理部１１が出力した画像をディスプレイ２４に表示した場合の表示例であり、（ｂ）は映像反転回路２６を作動させずに画像をディスプレイ２４に表示した場合の表示例であり、（ｃ）は映像反転回路２６を作動させて画像をディスプレイ２４に表示した場合の表示例であり、（ｄ）は（ｃ）の画像をハーフミラー２９に反射した投影像である。
【図９】カラオケ装置本体１のＣＰＵ１４によって実行されるカラオケ演奏処理を示すフローチャートである。
【符号の説明】
【００５２】
１…カラオケ装置本体、１０…操作パネル、１１…グラフィックス処理部、１２…ＭＰＥＧデコーダ、１３…ハードディスク（ＨＤＤ）、１４…ＣＰＵ、１５…ＲＴＣ、１６…ＬＡＮインターフェース、１７…ＥＥＰＲＯＭ、１８…ＭＩＤＩ音源部、１９…音声処理部、２０…アンプ、２１…ＳｅｒｉａｌＡＴＡブリッジ、２２…スピーカ、２３…マイクロフォン（マイク）、２４…ディスプレイ、２４ａ…ディスプレイの表示領域、２５…ＤＲＡＭ、２６…映像反転回路、２７…光モデム、２８…ハーフミラー取付状態検知スイッチ、２９…ハーフミラー、２９ａ…ミラー本体、２９ｂ…取付部、３０…インターネット、５０…配信センタ、１００…一体型カラオケ装置、１００ａ…筐体、１００ｂ…キャスター、１００ｃ…ヒンジ機構、１００ｄ…取付孔
【図８】
0004811373.tif 000002
【図９】
0004811373.tif 000003
【図１】
0004811373.tif 000004
【図２】
0004811373.tif 000005
【図３】
0004811373.tif 000006
【図４】
0004811373.tif 000007
【図５】
0004811373.tif 000008
【図６】
0004811373.tif 000009
【図７】
0004811373.tif 000010